(57)【特許請求の範囲】
【請求項１】
補給用の硬貨が装填された硬貨カセットが装置本体にセットされて、該硬貨カセット内の硬貨を該装置本体に送り出して補給する硬貨処理装置であって、
前記硬貨カセットに、装填された硬貨を視認可能にする硬貨可視部を備え、
前記装置本体に、セットされた前記硬貨カセットの前記硬貨可視部を通じて該硬貨カセット内の硬貨を撮像する撮像手段と、
前記撮像手段が撮像した画像に基づいて、前記硬貨カセット内の硬貨の金種を判別する判別手段と、
前記判別手段が判別した金種と予め設定された金種とを比較して、該比較結果に基づく出力を行う出力手段とを備えた
硬貨処理装置。
【請求項２】
前記判別手段は、撮像した画像における色情報に基づいて金種を判別する
請求項１記載の硬貨処理装置。
【請求項３】
前記硬貨可視部を前記硬貨カセットに形成された孔で構成した
請求項１または２記載の硬貨処理装置。
【請求項４】
前記硬貨可視部を、透明樹脂材で構成した
請求項１、２または３記載の硬貨処理装置。
【請求項５】
前記硬貨カセットは、前記撮像手段で撮像可能な部位にカセット種別を示す色を表示する色表示部が設けられ、
前記判別手段は、前記金種の判別に加えて、前記色表示部に基づくカセット種別の判別も実行する構成とし、
前記出力手段は、前記判別手段が判別したカセット種別と予め設定されたカセット種別とを比較し、該比較結果と前記金種の比較結果に基づく出力を行う構成とした
請求項１から４のいずれか１つに記載の硬貨処理装置。
【請求項６】
前記硬貨カセットに、閉状態で硬貨漏れを防止して開状態で硬貨放出を許容する開閉可能なシャッタを備え、
前記出力手段は、前記装置本体にセットされた硬貨カセットの前記シャッタをロックして該シャッタが開状態に開けられることを防止し、前記比較結果が一致であった場合に該ロックを解除するロック手段で構成した
請求項１から５のいずれか１つに記載の硬貨処理装置。
【発明の詳細な説明】
【技術分野】
【０００１】
この発明は、例えば硬貨カセットに硬貨を装填し、この硬貨カセットを装置本体にセットして硬貨の補給を行うような硬貨処理装置に関する。
【背景技術】
【０００２】
従来、自動券売機において、硬貨を補給できる着脱式カセットを備えた自動取引機が提案されている（特許文献１参照）。この特許文献１には、硬貨を補給するための補給カセットを、装置本体に対して着脱自在に取り付けることが記載されている。そして、予め定められた硬貨が入った補給カセットを自動取引機にセットすれば、硬貨処理部内へ硬貨の補給を行うことが記載されている。
【０００３】
しかし、この自動取引機には、誤った金種の硬貨を補給カセットに入れてしまうと、自動券売機の硬貨処理部に誤った金種の硬貨がそのまま補給されてしまう問題がある。
【特許文献１】特開２００２−３２９２３５号公報
【発明の開示】
【発明が解決しようとする課題】
【０００４】
この発明は、上述の問題に鑑み、誤った金種が補給されてしまうことを防止できる硬貨処理装置を提供することを目的とする。
【課題を解決するための手段】
【０００５】
この発明は、補給用の硬貨が装填された硬貨カセットが装置本体にセットされて、該硬貨カセット内の硬貨を該装置本体に送り出して補給する硬貨処理装置であって、前記硬貨カセットに、装填された硬貨を視認可能にする硬貨可視部を備え、前記装置本体に、セットされた前記硬貨カセットの前記硬貨可視部を通じて該硬貨カセット内の硬貨を撮像する撮像手段と、前記撮像手段が撮像した画像に基づいて、前記硬貨カセット内の硬貨の金種を判別する判別手段と、前記判別手段が判別した金種と予め設定された金種とを比較して、該比較結果に基づく出力を行う出力手段とを備えた硬貨処理装置であることを特徴とする。
【０００６】
前記出力手段は、金種が間違いであることの警告出力を行う警告出力手段、硬貨カセットから装置本体へ硬貨送り出ししないようにロックするロック機構の解除を行うロック解除手段、またはこの両方など、適宜の出力を行う手段で構成することができる。
【０００７】
前記比較結果に基づく出力は、比較結果が一致した場合と一致しなかった場合のいずれか一方で出力する、あるいは両方の場合で出力する構成とすることができる。  
この発明により、誤った金種が補給されてしまうことを防止できる硬貨処理装置を提供することができる。
【０００８】
この発明の態様として、前記判別手段は、撮像した画像における色情報に基づいて金種を判別する構成とすることができる。  
前記色情報に基づく金種の判別は、色相、明度、彩度のいずれか１つ以上を用いた判別とすることができる。  
これにより、硬貨カセット内に装填されている複数の硬貨がどの方向を向いている状態であっても、間違いなく金種を判別することができる。
【０００９】
またこの発明の態様として、前記硬貨可視部を前記硬貨カセットに形成された孔で構成することができる。  
前記孔は、装填された硬貨が抜け出さない大きさに形成することができ、１または複数形成することができる。  
この態様により、製造コストの増加を抑制して簡素な構成で硬貨可視部を形成することができる。
【００１０】
またこの発明の態様として、前記硬貨可視部を、透明樹脂材で構成することができる。  
前記透明樹脂材は、硬貨可視部にのみ使用する、あるいは、硬貨カセット全体に使用するなど、硬貨可視部を含めた部位に使用することができる。  
この態様により、硬貨カセットに孔を設けずに硬貨を視認可能にすることができる。
【００１１】
またこの発明の態様として、前記硬貨カセットは、前記撮像手段で撮像可能な部位にカセット種別を示す色を表示する色表示部が設けられ、前記判別手段は、前記金種の判別に加えて、前記色表示部に基づくカセット種別の判別も実行する構成とし、前記出力手段は、前記判別手段が判別したカセット種別と予め設定されたカセット種別とを比較し、該比較結果と前記金種の比較結果に基づく出力を行う構成とすることができる。
【００１２】
前記色表示部は、硬貨カセットの表面の一部または全部を、適宜の色で塗装して構成するまたは適宜の色のついた部材で構成することができる。  
この態様により、硬貨カセットが正しくセットされているか否かと、硬貨カセットの内部の硬貨が正しく対応しているか否かを容易に判別することができる。
【００１３】
またこの発明の態様として、前記硬貨カセットに、閉状態で硬貨漏れを防止して開状態で硬貨放出を許容する開閉可能なシャッタを備え、前記出力手段は、前記装置本体にセットされた硬貨カセットの前記シャッタをロックして該シャッタが開状態に開けられることを防止し、前記比較結果が一致であった場合に該ロックを解除するロック手段で構成することができる。  
この態様により、金種を誤った状態で硬貨カセットがセットされ、装置本体に誤った硬貨が送り出されることを確実に防止することができる。
【発明の効果】
【００１４】
この発明により、誤った金種が補給されてしまうことを防止できる硬貨処理装置を提供する。
【発明を実施するための最良の形態】
【００１５】
この発明の一実施形態を以下図面と共に説明する。  
【実施例１】
【００１６】
図１は、券売機１の全体構成を示す斜視図であり、図２は、券売機１の内部を右側面から見た構成図であり、図３は、券売機１の内部を背面から見た構成図であり、図４は、硬貨カセット３０を取り外した状態の券売機１の内部を背面から見た構成図である。
【００１７】
券売機１は、図１に示すように案内表示器３が正面上部に設けられ、その下に硬貨投入口５、釣銭硬貨放出口６、および釣銭硬貨受皿７がこの順に配置されている。
【００１８】
図２に示すように、券売機１の内部には、硬貨投入口５（図１参照）に連通し、該硬貨投入口５に投入された硬貨を一枚ずつ搬入する搬入シュート１１が設けられ、その後段に検銭部１２が設けられている。  
検銭部１２の後段には、取り込み通路１３が設けられ、この取り込み通路１３から金種別の一時保留部１４を介して各金種の釣銭部１５に硬貨が搬送される。
【００１９】
券売機１の後方上部には、金種別の硬貨カセット３０が着脱可能に設けられている。この硬貨カセット３０は、図３に示すように、１００円硬貨用の１００円硬貨カセット３０ａと、１０円硬貨用の１０円硬貨カセット３０ｂとが左右に並設されている。この１００円硬貨カセット３０ａと１０円硬貨カセット３０ｂは、それぞれ独立して着脱可能に構成されている。
【００２０】
各硬貨カセット３０の底部には、図２に示すように、開閉シャッタ３３が設けられている。この開閉シャッタ３３は、セット前に閉状態としておき、硬貨カセット３０を券売機１にセットした後に開状態に手動で変化させるものである。セット後に開閉シャッタ３３を開状態とすることにより、硬貨カセット３０に装填された硬貨を、下方の補給部３７へ一括して送り出すことができる。
【００２１】
硬貨カセット３０の下方には、補給部３７が設けられている。この補給部３７の上部には、開閉シャッタ３５が設けられ、さらにこの開閉シャッタ３５の開閉をロックするロック部３６が設けられている。このロック部３６は例えばソレノイドで構成されており、ロック部３６がロック解除すると補給部３７の開閉シャッタ３５が開閉可能となる。また、この開閉シャッタ３５は、硬貨カセット３０の開閉シャッタ３３が開動作されると、この開閉シャッタ３３に係合して連れ動きし、開動作する。従って、ロック部３６により開閉シャッタ３５がロックされると、開閉シャッタ３３も開動できなくなりロックされることになる。
【００２２】
補給部３７の後段には、対応する金種の釣銭部１５が設けられている。つまり、１００円硬貨カセット３０ａに対応する補給部３７の後段には１００円釣銭部１５ａが設けられ、１０円硬貨カセット３０ｂに対応する補給部３７の後段には１０円釣銭部１５ｂが設けられている。
【００２３】
貨幣の流れについてまとめると、ユーザによって硬貨投入口５から投入された硬貨は、搬入シュート１１、検銭部１２、取り込み通路１３、および一時保留部１４を介して各金種の釣銭部１５（５０円、５００円、１００円、１０円）に振り分けて搬送される。
【００２４】
係員によって１００円硬貨カセット３０ａから補給された硬貨は、補給部３７を介して１００円釣銭部１５ａに搬送される。係員によって１０円硬貨カセット３０ｂから補給された硬貨は、補給部３７を介して１０円釣銭部１５ｂに搬送される。従って、５０円と５００円の釣銭部１５には、硬貨投入口５から投入された硬貨のみが搬送され、１００円と１０円の釣銭部１５（１５ａ，１５ｂ）には、硬貨投入口５から投入された硬貨と硬貨カセット３０から投入された硬貨の両方が搬送される。これにより、使用頻度の高い１００円と１０円を硬貨カセット３０から一括補給できるようにしている。
【００２５】
券売機１の上部には、図２に示すように硬貨カセット３０に対向させて照明手段としてのＬＥＤ２１と撮像手段としてのカメラ２２が配置されている。図４に示すように、このＬＥＤ２１は、１００円用ＬＥＤ２１ａと１０円用ＬＥＤ２１ｂが並設されている。また、カメラ２２は、１００円用カメラ２２ａと、１０円用カメラ２２ｂとが並設されている。
【００２６】
図５は、硬貨カセット３０の一部を説明する斜視説明図である。  
硬貨カセット３０は、図５（Ａ）の斜視図に示すように、セットされるとカメラ２２と対向するカメラ対向面３１に円形の孔３２が設けられている。この孔３２は、硬貨カセット３０が券売機１にセットされた際にカメラ２２と対向する位置に設けられ、内部に装填される硬貨よりも小さいサイズに形成されている。  
なお、孔３２は、円形に限らず、図５（Ｂ）に示すような長円形とする、あるいは図５（Ｃ）に示すような透明樹脂板３４とすることも可能である。
【００２７】
図６は、カメラ２２で硬貨カセット３０を撮像した撮像画像の説明図である。  
図６（Ａ）に示すように、図５（Ａ）の硬貨カセット３０を撮像すると、硬貨カセット３０のカメラ対向面３１と円形の孔３２が写る。この孔３２の領域には、硬貨カセット３０の内部に装填されている硬貨Ｃが写る。
【００２８】
図６（Ｂ）に示すように、図５（Ｂ）の硬貨カセット３０を撮像した場合、硬貨カセット３０のカメラ対向面３１と長円形の孔３２が写る。この孔３２の領域には、硬貨カセット３０の内部に装填されている硬貨Ｃが写る。
【００２９】
図６（ｃ）に示すように、図５（Ｃ）の硬貨カセット３０を撮像した場合、硬貨カセット３０のカメラ対向面３１に設けられた透明樹脂板３４が写る。この透明樹脂板３４の領域には、硬貨カセット３０の内部に装填されている硬貨Ｃが写る。
【００３０】
図７は、券売機１の構成を説明するブロック図である。  
券売機１には、検銭部１２、カメラ２２、硬貨検知センサ４１、硬貨カセットセット検知センサ４２、ＲＯＭ４３、ＣＰＵ４４、ＲＡＭ４５、警報部４６、搬送モータ４７、およびソレノイド４８が設けられている。
【００３１】
検銭部１２は、ユーザに硬貨投入口５から投入された硬貨の金種判別と真偽判別を行い、判別結果をＣＰＵ４４に送信する。  
カメラ２２は、ＣＰＵ４４の撮像信号に従って硬貨カセット３０を撮像し、撮像した撮像画像をＣＰＵ４４に送信する。
【００３２】
硬貨検知センサ４１は、各通路に配置された硬貨の通過状態を検知し、検知結果をＣＰＵ４４に送信する。  
硬貨カセットセット検知センサ４２は、硬貨カセット３０がセットされたときにセット信号をＣＰＵ４４に送信する。
【００３３】
ＣＰＵ４４は、ＲＯＭ４３に記憶されているプログラムに従って、ＲＡＭ４５を一時記憶領域として各種制御動作を実行する。
【００３４】
警報部４６は、ＣＰＵ４４から受け取った警報信号に従って警報を行う。この警報部４６は、音声により警報する、画像表示により警報する、あるいはこの両方で警報するなど、適宜の構成とすることができる。
【００３５】
搬送モータ４７は、硬貨を搬送するモータであり、ＣＰＵ４４の制御信号に従って駆動する。  
ソレノイド４８は、ＣＰＵ４４から受信する制御信号に従って、ユーザに硬貨投入口５から投入された硬貨の振り分けや、ロック部３６のロックおよびロック解除を実行する。
【００３６】
図８は、券売機１のＣＰＵ４４が実行する硬貨補充処理の動作を示すフローチャートである。  
ＣＰＵ４４は、硬貨補充処理を実行し、硬貨カセット３０がセットされるまで待機する（ステップＳ１：Ｎｏ）。
【００３７】
硬貨カセット３０（１００円硬貨カセット３０ａと１０円硬貨カセット３０ｂのどちらか一方）がセットされたことを硬貨カセットセット検知センサ４２で検知すると（ステップＳ１：Ｙｅｓ）、ＣＰＵ４４は、セットされた硬貨カセット３０に対応する開閉シャッタ３３が開かないようにロック部３６でロックする（ステップＳ２）。
【００３８】
ＣＰＵ４４は、カメラ２２（１００円用カメラ２２ａと１０円用カメラ２２ｂのどちらか対応する方）による撮像を実行する（ステップＳ３）。この撮像のとき、ＣＰＵ４４は、同時にＬＥＤ２１も発光させ、この瞬間照明光で照明された硬貨カセット３０の撮像を実行する。
【００３９】
この撮像により、図６（Ａ）に示した撮像画像Ｐが得られる。この撮像画像Ｐには、硬貨カセット３０のカメラ対向面３１側が写っており、孔３２と、該孔３２から見える硬貨Ｃが写っている。
【００４０】
ＣＰＵ４４は、撮像した撮像画像Ｐにより金種判別を実行する（ステップＳ４）。このとき、１００円用カメラ２２ａで撮像したのであれば、撮像した撮像画像Ｐのうち、孔３２が写っている領域（予め定められた領域）の画像の色が、銀色系統の色であれば金種が１００円であり正しいと判別し、そうでなければ金種が１０円であり誤っていると判別する。この銀色系統の色か否かは、明度、彩度、色相のどれか１つあるいは複数が、予め定められた閾値以上か以下かによって金種を判別するとよい。
【００４１】
また、１０円用カメラ２２ｂで撮像したのであれば、撮像した撮像画像Ｐのうち、孔３２が写っている領域（予め定められた領域）の画像の色が、銅色系統の色であれば１０円の金種であり正しいと判別し、そうでなければ１００円の金種であり誤っていると判別する。この銅色系統の色か否かは、明度、彩度、色相のどれか１つあるいは複数が、予め定められた閾値以上か以下かによって金種を判別するとよい。
【００４２】
ＣＰＵ４４は、金種判別の結果が予め設定された金種であれば（ステップＳ５：Ｙｅｓ）、ロック部３６のロックを解除して開閉シャッタ３３を開動可能にし（ステップＳ６）、硬貨補充処理を終了する。
【００４３】
この後、硬貨カセット３０をセットした係員により開閉シャッタ３３が開動されると、券売機１は、硬貨カセット３０内の硬貨を補給部３７へ一括して送り出し、硬貨の補給を実施する。
【００４４】
金種判別の結果が予め設定された金種でなければ（ステップＳ５：Ｎｏ）、ＣＰＵ４４は、ロックを解除せずに開閉シャッタ３３が開かないようにしておき、警報部４６により金種違いである旨を警報し（ステップＳ７）、硬貨補充処理を終了する。
【００４５】
以上の構成および効果により、券売機１内に誤った金種が補給されてしまうことを防止できる。つまり、誤った金種の硬貨カセット３０がセットされることを防止できる。従って、釣銭を誤って払い出すといったことも防止できる。
【００４６】
また、券売機１内部に硬貨を送り出す前に金種違いの警告あるいはロックができるため、例えば誤った金種の硬貨を大量に補充してしまい、釣銭違い等で誤りに気づき、その後に大量に補充された金種違いの硬貨を取り除くといったわずらわしい作業の発生を防止できる。
【００４７】
また、誤った金種の硬貨が券売機１内部に送り出されることを防止できるため、釣銭部１５内の硬貨を常に正しい金種に保つことができる。従って、別途のセンサを設けて釣銭を払いだす毎に金種判別するといった構成を削減でき、装置全体のコストダウンと釣銭間違いの防止を両立することができる。
【００４８】
また、１００円硬貨用の硬貨カセット３０と１０円硬貨用の硬貨カセット３０に区別のない同一のものを使用しても、中身の硬貨が正しい金種か否か判別できるため、１００円の入った硬貨カセット３０と１０円の入った硬貨カセット３０が逆にセットされた場合でも、誤った金種が補充されることを防止できる。
【００４９】
また、ロック部３６により開閉シャッタ３３をロックし、金種が正しい場合にのみロック解除するため、例えば警報部４６の故障や係員の不注意により係員が警報に気づかずに開閉シャッタ３３を開けてしまい、異なる金種の硬貨が補充されてしまうといったことを確実に防止できる。
【００５０】
また、金種を色情報により判別しているため、硬貨カセット３０内で硬貨が様々な方向に向いていても、その向きに関係なく金種を判別することができる。  
また、判別する金種を、銀色系統の１金種と銅色系統の１金種とで合わせて２金種のみとしたため、色情報で確実に金種判別することができる。
【００５１】
また、カメラ２２による撮像画像から金種判別できるため、簡潔な構成で誤金種の補給を防止できる。  
また、硬貨カセット３０がセットされてカメラ２２の撮影方向が暗くなっても、ＬＥＤ２１で明るく照明して撮像することができる。これにより、孔３２を通じて撮像される硬貨の色を明瞭にすることができ、金種判別に十分な精度を得ることができる。
【実施例２】
【００５２】
図９は、実施例２の券売機１の動作を示すフローチャートである。  
この実施例２では、図５（Ａ）で説明した硬貨カセット３０のカメラ対向面３１を、装填される金種に応じた色に着色しておく。この色は、１００円硬貨カセット３０ａと１０円硬貨カセット３０ｂとで異なる色にする。なお、着色に限らず、色の異なる素材によりカメラ対向面３１を形成してもよい。その他の構成は、実施例１と同一であるので、その詳細な説明を省略する。
【００５３】
券売機１のＣＰＵ４４は、硬貨補充処理を開始すると、実施例１のステップＳ１〜Ｓ３と同一の処理を実行して、硬貨カセット３０のセット確認（ステップＳ１１）と、ロック部３６によるロック（ステップＳ１２）と、撮像を行う（ステップＳ１３）。
【００５４】
ＣＰＵ４４は、撮像画像Ｐのカメラ対向面３１が写っている領域の色情報（カセット色）から、カセット種別（１００円硬貨カセット３０ａと１０円硬貨カセット３０ｂのどちらであるか）を判別する（ステップＳ１４）。  
ＣＰＵ４４は、実施例１のステップＳ４と同一の金種判別を実行する（ステップＳ１５）。
【００５５】
ＣＰＵ４４は、カセット色から判別したカセット種別が正しい種別であり、かつ、硬貨Ｃが写っている領域の色から判別した装填されている金種が正しい金種であるか否か、すなわちカセット種別と金種が両方一致するか否かを判別する（ステップＳ１６）。
【００５６】
判別結果が一致（両方一致）であれば（ステップＳ１６：Ｙｅｓ）、ＣＰＵ４４は、ロック部３６のロックを解除して開閉シャッタ３３を開動可能にし（ステップＳ１７）、硬貨補充処理を終了する。
【００５７】
この後、硬貨カセット３０をセットした係員により開閉シャッタ３３が開動されると、券売機１は、硬貨カセット３０内の硬貨を補給部３７へ一括して送り出し、硬貨の補給を実施する。
【００５８】
判別結果が不一致（カセット種別と金種のいずれか一方でも不一致）であれば（ステップＳ１６：Ｎｏ）、ＣＰＵ４４は、ロックを解除せずに開閉シャッタ３３が開かないようにしておき、警報部４６により金種違いである旨を警報し（ステップＳ１８）、硬貨補充処理を終了する。
【００５９】
以上の構成および動作により、正しい硬貨カセット３０がセットされ、かつ硬貨カセット３０に正しい金種の硬貨Ｃが装填されたか否かを判別することができる。また、このカセット種別の判別と、装填されている硬貨Ｃの金種判別の両方を、カメラ２２による撮像画像Ｐの色情報のみで行えるため、例えばカセット種別の判別用センサと装填された金種の判別用センサを両方設置するといった必要がなく、コストダウンを図ることができる。  
また、実施例１と同一の効果も得られる。
【００６０】
なお、上述した各実施例では、セットされた金種が正しい場合にロックを解除し、誤っている場合に警報を発する構成としたが、ロックと警報のどちらか一方のみを実行する構成とすることも可能である。この場合も、誤った金種の補充を防止することができる。
【００６１】
この発明の構成と、上述の実施形態との対応において、
この発明の装置本体および硬貨処理装置は、実施形態の券売機１に対応し、
以下同様に、
撮像手段は、カメラ２２に対応し、
色表示部は、カメラ対向面３１に対応し、
硬貨可視部は、孔３２または透明樹脂板３４に対応し、
シャッタは、開閉シャッタ３３に対応し、
透明樹脂材は、透明樹脂板３４に対応し、
ロック手段は、ロック部３６に対応し、
出力手段は、ロック部３６および警報部４６に対応し、
判別手段は、ＣＰＵ４４に対応し、
撮像手段が撮像した画像は、撮像画像Ｐに対応するが、
この発明は、上述の実施形態の構成のみに限定されるものではなく、多くの実施の形態を得ることができる。
【図面の簡単な説明】
【００６２】
【図１】券売機の全体構成を示す斜視図。
【図２】券売機の内部を右側面から見た構成図。
【図３】券売機の内部を背面から見た構成図。
【図４】硬貨カセットを取り外した状態の券売機の内部を背面から見た構成図。
【図５】硬貨カセットの一部を説明する斜視説明図。
【図６】カメラで硬貨カセットを撮像した撮像画像の説明図。
【図７】券売機の構成を説明するブロック図。
【図８】券売機のＣＰＵが実行する硬貨補充処理の動作を示すフローチャート。
【図９】実施例２の券売機の動作を示すフローチャート。
【符号の説明】
【００６３】
１…券売機、２２…カメラ、３０…硬貨カセット、３１…カメラ対向面、３２…孔、３３…開閉シャッタ、３４…透明樹脂板、３６…ロック部、４４…ＣＰＵ、４６…警報部、Ｃ…硬貨、Ｐ…撮像画像
【図１】
0005145997.tif 000002
【図２】
0005145997.tif 000003
【図３】
0005145997.tif 000004
【図４】
0005145997.tif 000005
【図５】
0005145997.tif 000006
【図６】
0005145997.tif 000007
【図７】
0005145997.tif 000008
【図８】
0005145997.tif 000009
【図９】
0005145997.tif 000010